(57)【要約】【課題】  カシメ易く、締め付けやすいナットを提供する。【解決手段】  本発明の座金は、ナットの頭部の下にセットされる座金であって、座金基板の表面と裏面に貫通する挿入孔があり、挿入孔はナットの頭部から突設されたカシメ筒を挿入可能な大きさであり、座金基板の裏面であって前記挿入孔の外周に当該裏面よりも一段窪んだ凹部がリング状に形成され、前記凹部は座金基板の裏面に開口し、前記挿入孔に挿入されてカシメ筒のカシメ部を収容可能な広さと深さにした。本発明の座金付きナットは、ナットの頭部裏面に突設されたカシメ筒に前記座金を被せ、そのカシメ筒の先端部で座金をカシメて、当該座金をカシメ筒の軸方向にスライド可能に取り付けたものである。【選択図】図１
2016223523.tif 000002
【特許請求の範囲】
【請求項１】
ナットの頭部の下にセットされる座金であって、
座金基板の表面と裏面に貫通する挿入孔があり、挿入孔はナットの頭部から突設されたカシメ筒を挿入可能な孔径であり、
座金基板の裏面であって前記挿入孔の外周に当該裏面よりも一段窪んだ凹部が形成され、
前記凹部は座金基板の裏面に開口し、前記挿入孔に挿入されてカシメ筒のカシメ部を収容可能な広さと深さである、
ことを特徴とする座金。
【請求項２】
請求項１記載の座金において、
凹部が挿入孔の外周の全周にリング状に、又は外周の二以上の箇所に部分的に設けられた、
ことを特徴とする座金。
【請求項３】
請求項１又は請求項２記載の座金において、
凹部の上面が挿入孔側から外側に向けて上り傾斜面である、
ことを特徴とする座金。
【請求項４】
請求項１から請求項３のいずれか１項に記載の座金において、
座金基板の表面に座金表面突起が設けられ、座金基板の裏面に座金裏面突起が設けられた、
ことを特徴とする座金。
【請求項５】
請求項４記載の座金において、
座金表面突起が表面の周方向数箇所に間隔をあけて数本ずつ突設され、座金表面突起のない箇所を無突起部とし、
座金基板の裏面であって前記無突起部に対応する箇所に座金裏面突起が設けられた、
ことを特徴とする座金。
【請求項６】
請求項４又は請求項５の座金において、
座金表面突起が表面の周方向全周又は一部に放射状に形成された山形突条であり、座金裏面突起が連結材に食い込み又は圧接可能な突起である、
ことを特徴とする座金。
【請求項７】
ナットの頭部裏面側に座金が抜け落ちないように取り付けられた座金付きナットであって、
座金に請求項１から請求項６のいずれか１項に記載の座金が使用され、
ナットは頭部裏面にカシメ筒が突設されたものであり、そのカシメ筒が前記座金の挿入孔に挿入されて当該カシメ筒の先端部が挿入孔の先に突出し、突出した先端部で座金をカシメて、当該座金がカシメ筒の軸方向にスライド可能に取り付けられた、
ことを特徴とする座金付きナット。
【請求項８】
請求項７記載の座金付きナットにおいて、
座金がナットの頭部裏面側に二枚重ねて取り付けられ、少なくとも下座金は凹部を備えた座金であり、ナットのカシメ筒が二枚の座金の挿入孔に挿入されて先端部が下座金の挿入孔の先に突出し、突出した先端部が凹部内で座金をカシメて、前記二枚の座金がカシメ筒の軸方向にスライド可能に取り付けられた、
ことを特徴とする座金付きナット。
【請求項９】
請求項８記載の座金付きナットにおいて、
上座金の表面に設けられた上座金表面突起と、ナットの頭部の裏面に設けられた頭部裏面突起が、ナットの締め付けにより互いに嵌合して緩み止めとなる形状であり、上座金の上座金裏面突起と下座金の下座金表面突起はナットの締め付けにより互いに嵌合して緩み止めとなる形状であり、下座金の裏面の下座金裏面突起がナットの締め付けにより連結物に食い込み可能又は圧接可能なものである、
ことを特徴とする座金付きナット。
【発明の詳細な説明】
【技術分野】
【０００１】
本発明はナットの頭部の裏面側にセットされる座金と、その座金を備えた座金付きナットに関するものである。
【背景技術】
【０００２】
従来、緩み止め機構を備えた座金や座金付き螺子類として、本件出願人が先に出願した座金や座金付き螺子類（特許文献１）がある。これら座金は、表面（上面）に側面視山形の座金突起が放射状に設けられ、裏面（底面）の周方向数箇所に食い込み突起が設けられている。これら座金は螺子類の頭部裏側にセットして螺子類を締め付けると、螺子類の頭部の裏面に設けられた頭部突起が座金突起と噛み合い、座金が締め付けられ、食い込み突起が締め付け対象物に食い込んで、螺子類の緩みが防止されるようにしたものである。
【先行技術文献】
【特許文献】
【０００３】
【特許文献１】特開２００６−２４２３２４号公報
【発明の概要】
【発明が解決しようとする課題】
【０００４】
特許文献１の座金付き螺子類は、螺子類を締め付けると、螺子類の頭部突起が、座金の座金突起と噛み合うため、締め付けが確実になり、螺子類が緩みにくくなるという利点がある。
【０００５】
本発明の解決課題は緩みにくい座金と、その座金を備えた座金付きナットを提供することにある。
【課題を解決するための手段】
【０００６】
本発明の座金は、ナットの頭部の下にセットされる座金であって、座金基板の表面と裏面に貫通する挿入孔があり、挿入孔はナットの頭部から突設されたカシメ筒を挿入可能な孔径であり、座金基板の裏面であって前記挿入孔の外周に当該裏面よりも一段窪んだ凹部が形成され、前記凹部は座金基板の裏面に開口しており、前記挿入孔に挿入したカシメ筒のカシメ部を収容可能な広さと深さ（まとめて「大きさ」という：以下同じ。）にしてある。
【０００７】
前記座金において、凹部を挿入孔の外周の全周にリング状に又は外周の二以上の箇所に部分的に設けることもできる。凹部の上面は平面にすることも、挿入孔側から外側に向けて上り傾斜面にすることもできる。
【０００８】
前記座金は座金基板の表面に表面突起（座金表面突起）を備え、裏面に裏面突起（座金裏面突起）を備えたものであってもよい。
【０００９】
前記座金において、座金表面突起が座金基板の表面の周方向数箇所に間隔をあけて数本ずつ突設され、座金表面突起のない箇所を無突起部とし、座金基板の裏面であって前記無突起部に対応する箇所に座金裏面突起を設けることもできる。
【００１０】
前記座金表面突起は、座金基板の表面の周方向全周又は一部に放射状に形成された山形突条であり、座金裏面突起は連結材に食い込み又は圧接可能な突起とすることができる。
【００１１】
本発明の座金付きナットは、ナットの裏面側に座金が抜け落ちないように取り付けられた座金付きナットであって、座金に前記いずれかに記載の座金が使用され、ナットは頭部裏面にカシメ筒が突設されたものであり、そのカシメ筒が前記座金の挿入孔に挿入されて当該カシメ筒の先端部が挿入孔の先に突出し、突出した先端部で座金をカシメることにより、当該座金がカシメ筒の軸方向にスライド可能に取り付けられたものである。
【００１２】
前記座金付きナットは、座金がナットの頭部裏面側に一枚又は二枚以上重ねてセットされ、一枚の場合はその座金が、二枚以上の場合は少なくとも最も下の座金（以下、「下座金」という）が凹部を備えた座金であり、ナットのカシメ筒が前記セットされた座金の挿入孔に挿入されて先端部が一枚の場合はその座金、二枚以上の場合は下座金の挿入孔の先に突出し、突出した先端部が凹部内で座金をカシメることにより前記セットされた一枚又は二枚の座金がカシメ筒の軸方向にスライド可能に取り付けられたものであってもよい。
【００１３】
前記座金付きナットにおいて、上の座金（以下、「上座金」という）の表面に設けられた上座金表面突起とナットの頭部の裏面に設けられた頭部裏面突起が、ナットの締め付けにより互いに嵌合して緩み止めとなる形状であり、上座金の上座金裏面突起と下座金の下座金表面突起はナットの締め付けにより互いに嵌合して緩み止めとなる形状であり、下座金の下座金裏面突起がナットの締め付けにより連結物に食い込み可能又は圧接可能なものでる。
【発明の効果】
【００１４】
本発明の座金は次の効果を奏する。
（１）座金基板に凹部があるので、カシメ筒のカシメ部を収容することができる。
（２）凹部を、カシメ部が開口部から外に突出しない大きさにした場合は、カシメ部がナットの頭部裏面から外に突出しないため、ナットの締め付け時にカシメ部が邪魔にならず、座金裏面が、ボルトとナットで連結する連結物に面接触し易くなり、締め付けが確実になる。
（３）座金裏面突起がナットの締め付けにより連結物に食い込み可能又は圧接可能なものであるため、ナットの締め付けにより連結材へのナットの締め付けが確実になり、締め付けた螺子が緩みにくくなる。
【００１５】
本発明の座金付きナットは次の効果を奏する。
（１）ナットの頭部裏面側に座金が取り付けられているので、使用時にナットの裏面に座金を一々セットする面倒がない。また、座金のセットを忘れることもない。
（２）ナットの頭部裏面側に座金がスライド可能に取り付けられているので、ナットを締め付け易い。
（３）凹部を、カシメ部がナットの裏面から外に突出しない大きさにした場合は、ナットの締め付け時にカシメ部が邪魔にならず、座金の裏面が連結材に面接触し易くなり、締め付けが確実になる。
（４）ナットの頭部裏面側に座金を二枚以上重ねて取り付けて、上座表面金突起と頭部裏面突起が互いに嵌合し、上座金裏面突起と下座金表面突起が互いに噛み合うようにした場合は二重の噛み合いになり、一重の噛み合いに比して締め付けが確実になり、緩みにくくもなる。
【図面の簡単な説明】
【００１６】
【図１】本発明の座金付きナットの一例を示すものであって、（ａ）はナットに座金を組み立てる前の側面図、（ｂ）はカシメ説明図、（ｃ）は座金付きナットの側面図、（ｄ）はナットの頭部裏面の平面図、（ｅ）は座金表面の平面図、（ｆ）は座金裏面の平面図。
【図２】本発明の座金付きナットの他例を示すものであって、（ａ）はナットに座金を組み立てる前の一部断面であって凹部上面が上り斜面の場合の説明図、（ｂ）はカシメ説明図。
【図３】本発明におけるナットの頭部裏面突起、座金突起の説明図であって、（ａ）は稜線部が弧面状の場合の説明図、（ｂ）は（ａ）のＹ部拡大図、（ｃ）は（ｂ）の他例を示す説明図、（ｄ）は稜線部が平面の場合の説明図、（ｅ）は（ｄ）のＺ部拡大図、（ｆ）、（ｇ）は（ｅ）の他例を示す説明図。
【図４】本発明の座金付きナットであって、座金を二枚備えた場合の一例であり、（ａ）はナットに座金を組み立てる前の説明図、（ｂ）はナットに座金を組み立てた状態の部分断面図、（ｃ）はナットに座金を組み立てた座金付きナットの側面図。
【図５】（ａ）〜（ｃ）は図１（ｃ）の座金付きナットの使用説明図。
【図６】（ａ）〜（ｃ）は図４（ｃ）の座金付きナットの使用説明図。
【発明を実施するための形態】
【００１７】
（座金の実施形態）
本発明の座金の一例を図1（ａ）〜（ｆ）、図２（ａ）（ｂ）を参照して説明する。図１（ａ）〜（ｆ）に示す座金１は円盤状の金属板（座金基板）２の中心部に挿入孔３が貫通され、凹部４が座金基板２の裏面側であって挿入孔３の全外周に沿ってリング状に形成されている。座金基板２の表面に突起（座金表面突起）５が形成され、裏面に突起（座金裏面突起）６が形成されている。
【００１８】
挿入孔３はナット７の頭部８の下に突設されているカシメ筒９を差込み可能な孔径である。
【００１９】
前記凹部４は挿入孔３の外周全周にリング状に形成されている。カシメ筒９の先端部９ａの全周をカシメるのではなく、下端部９ａの周方向数箇所をカシメる場合は、前記凹部４も挿入孔３の外周の全周にリング状に設けるのではなく、挿入孔３の外周であって、それら数箇所のカシメ部１０に対応する箇所のみに設けることもできる。
【００２０】
図１（ａ）（ｂ）に示す凹部４は全体が同じ深さであり、上面４ａが平面であるが、凹部４は図２（ａ）（ｂ）に示すように、挿入孔３側から外側に向けて上り斜面（テーパ面）とすることもできる。
【００２１】
前記いずれの凹部４も、カシメ部１０（図１（ｂ））が座金基板２の裏面２ｂ（図１（ｂ））から外に突出しない広さと深さ（大きさ）にしてある。凹部４はカシメ易く、カシメ部１０を収容できれば、形状、深さ等は特に制限されるものではない。
【００２２】
前記座金表面突起５は山形の突条であり、図１（ｅ）に示すように、挿入孔３と座金基板２の外周縁２ａの間に放射状に多数本形成され、周方向四箇所に突起のない無突起部１１が形成されている。
【００２３】
個々の座金表面突起５は、図３（ａ）（ｄ）に示すように、乗り越え斜面１２と係止面１３と稜線部１４を備えている。乗り越え斜面１２は稜線部１４よりも締め付け回転方向手前側に形成され、稜線部１４は乗り越え斜面１２と係止面１３の交差部（山の頂部）に形成されて、ナット７の頭部８の頭部裏面突起１５と噛み合う形状にしてある。また、乗り越え斜面１２の傾斜角度を緩くし、係止面１３の傾斜角度を乗り越え斜面１２の傾斜角度よりも急にすることにより、ナット７の締め付け（締め付け方向への回転）は容易にできるが、逆方向には緩みにくくなるようにしてある。この場合、稜線部１４の頂部を図３（ａ）〜（ｃ）に示すように弧面状にするとか、図３（ｄ）〜（ｇ）に示すように平面状にすることができる。弧面状或いは平面状にすることにより稜線部１４が前記噛み合い時に欠損しにくくし、座金表面突起５の成形時にプレス金型の稜線部成形箇所が欠損し難くなって型持ち（長持ち）するようになる。
【００２４】
前記稜線部１４の弧面形状、半径Ｒ等は任意に設計することができる。一例として図３（ａ）（ｂ）に示す稜線部１４の弧面は稜線部１４の頂部から座金表面突起５の付け根部分の軸線Ｘ−Ｘまでの係止面１３を円弧状にしてある。図３（ｃ）の稜線部１４の弧面は稜線部１４の頂部だけを円弧状にし、その頂部の円弧下端部から座金表面突起５の付け根部分の軸線Ｘ−Ｘまでの係止面１３を直線状にしてある。
【００２５】
前記稜線部１４の平面形状、長さ等は任意に設計することができる。一例として図３（ｄ）（ｅ）に示す稜線部１４の平面は座金表面突起５の付け根部分の軸線Ｘ−Ｘと平行にし、その平面の下端から前記軸線Ｘ−Ｘまでの係止面１３を直線状にしてある。図３（ｆ）の稜線部１４の平面は稜線部１４の頂部を前記軸線Ｘ−Ｘに向けて下り傾斜になる斜面にし、その平面の下端から前記軸線Ｘ−Ｘまでの係止面１３を円弧状にしてある。図３（ｇ）の稜線部１４の平面は稜線部１４の頂部を前記軸線Ｘ−Ｘと平行な平面にし、その平面の下端から前記軸線Ｘ−Ｘまでの係止面１３を円弧状にしてある。
【００２６】
ナット７の締め付けにより噛み合った座金表面突起５とナット７の頭部裏面突起１５との噛み合いが全く緩まないと不都合がある場合もあるため、係止面１３を乗り越え斜面１２よりも急角度ではあるが、９０度よりは緩い角度にし、更に、係止面１３と稜線部１４の頂部を前記のように弧面状或いは平面状にすることにより、締め付け力と同じ又はそれより少し強めの力でナット７を逆回転させると前記噛み合いが戻って締め付けを緩めることができるようにするのが望ましい。
【００２７】
前記頭部裏面突起１５は座金表面突起５と噛み合う形状であり、座金表面突起５と同様の乗り越え斜面１２、係止面１３、稜線部１４を備えている。
【００２８】
座金表面突起５、頭部裏面突起１５の突出寸法、乗り越え斜面１２の傾斜角度、係止面１３の傾斜角度、稜線部１４が弧面状の場合の弧面半径Ｒ、平面状の場合の平面幅等は座金１の大きさ（半径）、座金１の肉厚Ｔ（図３（ａ）（ｄ））、座金表面突起５、頭部裏面突起１５の高さＨ（図３（ａ）（ｄ））、その他の条件に応じて適宜設計することができる。締め付けやすく緩みにくく、しかも所定以上の戻し力で座金表面突起５と頭部裏面突起１５の噛み合いが緩むようにするためには、乗り越え斜面１２の傾斜角度（勾配）θ１は１０〜６０度程度、係止面１３の傾斜角度θ２は５０度以上９０度未満、稜線部１４の弧面半径Ｒは０．２〜０．５ｍｍ程度が好ましい。
【００２９】
座金裏面突起６は図１（ｆ）に示すように、座金基板２の裏面２ｂであって、前記無突起部１１に対応する箇所（図１（ｆ）では四箇所）に形成されている。座金裏面突起６は連結物Ａ（図５（ｃ）、図６（ｃ））に食い込み可能又は圧接可能なものである。図１（ｆ）の座金裏面突起６は座金基板２の裏面２ｂをプレスして当該裏面２ｂの外に突出させてあり、座金裏面突起６の周囲に裏面２ｂよりも一段窪んだ押し跡（窪み部）１６が形成されている。この座金裏面突起６は連結物Ａに食い込み可能な形状、硬さにしてある。窪み部１６は座金裏面突起６が連結物Ａに食い込むことにより押し出される座金基板２の裏面２ｂの肉（押し出し肉）が食い込み（進入）できるものである。
【００３０】
（座金付きナットの実施形態１）
本発明の座金付きナット２０（図１（ｃ））は、前記座金１をナット７に取り付けたものである。ナット７は頭部８の裏面からカシメ筒９が突設されている。頭部８は汎用のナットと同様に六角形であり、頭部８の中心部にボルトねじ込み用のネジ孔が形成されている。頭部８の下端部８ａは裾広がりのテーパに形成され、そのテーパ部分の裏面中心部からカシメ筒９が突設され、カシメ筒９の根元部分の外周に頭部裏面突起１５が形成されている。頭部裏面突起１５は図１（ｄ）に示すように、ネジ孔８ｂと下端部８ａの外周縁の間に放射状に多数本形成されている。頭部裏面突起１５が座金表面突起５と噛み合う形状であり、座金表面突起５と同様に乗り越え斜面１２、係止面１３、稜線部１４を備えている。頭部８は他の角数、形状、構造であってもよい。
【００３１】
頭部裏面突起１５と座金表面突起５は互いに噛み合い、締め付けやすく、緩みにくく、しかも所定以上の戻し力で噛み合いが緩むようにするためには、乗り越え斜面１２の傾斜角度（勾配）θ１、係止面１３の傾斜角度θ２、稜線部１４の弧面半径Ｒは、座金表面突起５のそれらと同じ（略同じ）数値にするのが好ましい。
【００３２】
本発明の座金付きナット２０は、前記カシメ筒９を本発明の座金１（図１（ａ））の挿入孔３に挿入して、座金１をカシメ筒９の根元にセットし、座金１の凹部４内に突出したカシメ筒９の先端側９ａを、図１（ｂ）のように外側に拡径して（広げて）又は外側に折り返して（折り曲げて）、座金１をナット７にカシメてある。カシメることにより、座金１がカシメ筒９の周囲を回転自在で、カシメ筒９の軸方向にスライド自在に、ナット７に取り付けられて、カシメ筒９から抜け落ちないようにしてある。カシメ筒９の折り曲げ部（カシメ部）１０は座金１の凹部４内に収容されて、凹部４の外（亜金の底面寄り外）に突出しないようにしてある。
【００３３】
（座金付きナットの実施形態２）
座金付きナットの実施形態１は、一つのナットに座金を一枚取り付けた場合であるが、本発明の座金付きナットは、一つのナットに座金を二枚以上取り付けることも可能である。図４（ａ）〜（ｃ）に示す実施形態では座金１を二枚取り付けた場合である。
【００３４】
図４（ａ）に示す座金付きナット２０のナット７は、図１（ａ）のナット７と同じ構造であり、異なるのはカシメ筒９が図１（ａ）の場合よりも長いことである。図４（ａ）〜（ｃ）ではカシメ筒９に上座金２１と下座金１を重ねてカシメ筒９にセットし、カシメ筒９の先端部９ａを拡径して又は折り返して下座金１をカシメて、上座金２１と下座金１をカシメ筒９にその軸方向にスライド可能に取り付けて、抜けないようにしてある。
【００３５】
図４（ｂ）（ｃ）の二枚の座金のうち、下座金１は凹部４を備えており、図１（ｂ）に示す座金１と同じものであるが、上座金２１は前記座金１と異なる構造である。具体的には凹部４がなく、座金基板２の表面に山形突条の上座金表面突起２２を、裏面に山形突条の上座金裏面突起２３を備えたものである。上座金表面突起２２はナット７の頭部裏面突起１５と噛み合うものであり、上座金裏面突起２３は下座金１の座金表面突起５と噛み合うものである。このため、これら上座金表面突起２２、上座金裏面突起２３は、座金表面突起５、頭部裏面突起１５と同様に、乗り越え斜面１２、係止面１３、稜線部１４を備え、稜線部１４の頂部を円弧状又は水平面にし、それらの傾斜角度を座金表面突起５、頭部裏面突起１５の傾斜角度と同様にしてある。
【００３６】
［座金付きナットの使用例１］
図１（ｃ）の座金付きナット２０を使用するには、図５（ａ）〜（ｃ）のようにすることができる。図５（ｂ）の座金付きボルト３０を、連結する二枚の板材（連結物）Ａ、Ｂの穴に差し込み、連結物Ｂから突出した座金付きボルト３０のボルト軸３３に、図１（ｃ）の座金付きナット２０を連結物Ｂの下から螺合して締め付ける。この締め付けによりナット７の頭部裏面突起１５と座金１の座金表面突起５が噛み合い、座金１が連結物Ｂに押し付けられ、座金裏面突起６が連結物Ｂに食い込んで、ナット７が不用意に緩みにくくなる。
【００３７】
［座金付きナットの使用例２］
図４（ｃ）の座金付きナット２０を使用するには、図６（ａ）〜（ｃ）のようにすることができる。図６（ｂ）の座金付きボルト３０を、連結する二枚の板材（連結物）Ａ、Ｂの穴に差し込み、連結物Ｂから突出した座金付きボルト３０のボルト軸３３に、図６（ｃ）の座金付きナット２０を連結物Ｂの下から螺合して締め付ける。この場合は、ナット７の頭部裏面突起１５と上座金１の座金表面突起５が噛み合い、上座金裏面突起２３と下座金１の座金表面突起５が噛み合い、下座金１の座金裏面突起６が連結物Ｂに食い込むため、二重のロックになって、ナット７がより一層緩みにくくなる。
【００３８】
図５（ｂ）の座金付きボルト３０は、ボルトの頭部３２から突出しているボルト軸（ネジ山なし）３３に座金３４を一枚被せてから、ボルト軸３３の外周面にネジ山３５を形成してネジ山付きボルト軸３６にして、座金３４がネジ山付きボルト軸３６から抜け落ちないようにしてある。座金３４はネジ山なしのボルト軸３３の根元に取り付けてある。この座金３４はボルト軸３３の周囲を回転可能で、ボルト軸３３の軸方向にスライド可能である。
【００３９】
図６（ｂ）の座金付きボルト３０は、ボルトの頭部３２から突出しているボルト軸（ネジ山なし）３３に座金３４を二枚被せてから、ボルト軸３３の外周面にネジ山３５を形成して、ネジ山付きボルト軸３６にして、座金３４がネジ山付きボルト軸３６から抜け落ちないようにしてある。二枚の座金３４はネジ山なしのボルト軸３３の根元に取り付けてある。この座金３４はボルト軸３３の周囲を回転可能で、ボルト軸３３の軸方向にスライド可能である。
【００４０】
図１（ｃ）、図４（ｃ）の座金付きナット２０は、他のボルトに螺合して使用することもできる。前記座金裏面突起６は、連結物Ａ、Ｂに食い込んだり、圧接したりすることができるものであればどのようなものであってもよい。連結物Ａ、Ｂに傷付き易い材質の場合は、ゴム製或いは樹脂製の突起にして、圧接しても傷付きにくく、滑りにくくするのが望ましい。連結物Ａ、Ｂの材質が硬質の場合は、それよりも硬質材のスパイク状の突起などを使用することができる。また、弾力性のあるバネ等であってもよい。それら突起は、座金裏面に埋め込んだり、接着固定したりすることができる。座原裏面突起の数、設置場所等も用途に合わせて適宜設計することができる。
【符号の説明】
【００４１】
１      座金（二枚の場合：下座金）
２      座金基板
２ａ    （座金基板の）外周縁
２ｂ    （座金基板の）裏面
３      挿入孔
４      凹部
４ａ    （凹部の）上面
５      座金表面突起
６      座金裏面突起
７      ナット
８      （ナットの）頭部
８ａ    （頭部の）下端部
８ｂ    （頭部の）ネジ孔
９      カシメ筒
９ａ    （カシメ筒の）先端部
１０    カシメ部
１１    無突起部
１２    乗り越え斜面
１３    係止面
１４    稜線部
１５    （ナットの）頭部裏面突起
１６    窪み部
２０    座金付きナット
２１    上座金
２２    上座金表面突起
２３    上座金裏面突起
３０    座金付きボルト
３２    （ボルトの）頭部
３３    ボルト軸（ネジ山なし）
３４    （ボルトの）座金
３５    （ボルト軸の）ネジ山
３６    ネジ山付きボルト軸
Ａ      （下側の）連結物
Ｂ      （上側の）連結物
【図１】
2016223523.tif 000003
【図２】
2016223523.tif 000004
【図３】
2016223523.tif 000005
【図４】
2016223523.tif 000006
【図５】
2016223523.tif 000007
【図６】
2016223523.tif 000008